(57)【特許請求の範囲】
【請求項１】
フライホイールが回転自在に軸支された走行体と、
前記走行体を収納可能に構成され収納した前記走行体のフライホイールを当該走行体が後退する方向に回転付勢する回転付勢手段、及び、前記走行体を押し出して当該走行体に前進付勢力を付与して当該走行体を前進方向に高加速度で急発進させる押出手段を有する発進台と、を備え、前記回転付勢手段によって回転付勢された前記走行体を、前記発進台の押出手段によって押し出し前記走行体を高加速度で急発進させ、前進方向へ高加速度で急発進された走行体が、前進付勢力限界時点において、前記フライホイールが前記回転付勢の力でバックスピンし、前記走行体が前記発進台方向へ戻るように構成されたことを特徴とするバックスピントイ。
【請求項２】
シャフトとピニオンがフライホイールに一体的に固定されており、該ピニオンに当接されたラックベルトを一気に引き出すことにより、走行体に回転自在に軸支されたフライホイールを回転付勢させるようにされていることを特徴とする請求項１記載のバックスピントイ。
【請求項３】
前記押出手段を、スプリングに抗してプッシュレバーとプッシュ部材の操作により、走行体が走行体収納部より押し出されて急発進されるように構成したことを特徴とする請求項１記載のバックスピントイ。
【請求項４】
走行体のバンパーにマグネットが収納されており、ターゲット内に収納された磁性体を吸着したのち、発進台方向へ走行体が戻るように構成したことを特徴とする請求項１記載のバックスピントイ。
【請求項５】
前記回転付勢手段を、ピニオン・ラックベルト、ギヤ列を駆動する回転ハンドル、又は、モータードライブによって構成したことを特徴とする請求項１記載のバックスピントイ。
【発明の詳細な説明】
【技術分野】
【０００１】  本発明は、回転自在に軸支されたフライホイールを収納する走行体であって、特に、走行体に回転自在に軸支されたフライホイールを逆回転付勢させ、発進台より前進方向へ高加速度で急発進された走行体が、前進付勢力限界時点において、フライホイールの逆転付勢力でフライホイールがバックスピンし、走行体が発進台方向へ逆走行するように構成されたバックスピントイである。
【背景技術】
【０００２】  従来、発進台から走行体を発進させる玩具やフライホイールの回転力を駆動輪に伝達するもの、あるいはフライホイール自体を駆動輪として利用する玩具が開発されている。【０００３】  例えば、実開昭５２−９５８６号公報では、スタート台に載置した車輪走行体のフライホイールに回転力を付与し、この回転力を車輪に付与するものが開示されている。【０００４】  また、特開昭６２−２９８３８９号公報では、玩具自動車の駆動輪に連結したフライホイール式駆動機構に回転力を付勢させ、発進台から玩具自動車を発進させる発進装置に関するものが開示されている。【０００５】  また、実公平８−５７５８号公報では、走行玩具発射装置に載置された走行玩具のフライホイールを回転させて走行玩具を発射するものが開示されている。
【先行技術文献】
【０００６】
【特許文献】
【０００７】
【特許文献１】  実開昭５２−９５８６号公報
【特許文献２】  特開昭６２−２９８３８９号公報
【特許文献３】  実公平８−５７５８号公報
【発明の概要】
【発明が解決しようとする課題】
【０００８】  前記せる先行技術文献の実開昭５２−９５８６号公報は、傾料走行面を滑り下りる車輪走行体に車輪に慣性回転力を付与するフライホイールを設け、車輪走行体をより遠くまで走行させることを目的としたものであるが、車輪走行体がバックスピンする動きのあるものではなかった。【０００９】  また、前記せる先行技術文献の特開昭６２−２９８３８９号公報は、玩具自動車の駆動輪に連結したフライホイール式駆動機構に回転力を畜勢させた後に、発進機構を動作させることで、駆動機構から放勢される回転力による駆動輪の駆動によって玩具自動車を発進させ、玩具自動車の速度が急激に低下しないようにしたものであるが、玩具自動車がバックスピンする動きのあるものではなかった。【００１０】  また、前記せる先行技術文献の実公平８−５７５８号公報は、フライホイール自体が駆動輪となり、高い初速度と安定した発進ができるものであるが、フライホイール自体がバックスピンする動きのあるものではなかった。【００１１】  前記せる引用文献はいずれもフライホイールの駆動力を利用して高い初速度で発進させ、より遠くまで走行させるものであったが、本発明のバックスピントイは、ひとたび高加速度で発進した走行体２が一定距離を走行後に急激にバックスピンして元の発進台１の方向に逆走行するように構成されており、スピード感のみならず思いもよらない動きをするので、走行体２をターゲット８に当てたり、バックスピンしてきた走行体２を元の発進台１で受け止めたり、または走行体２のバンパー２１に収納されたマグネット２２がターゲット８に収納された磁性体８１を吸着して、ターゲット８が走行体２と共に発進台１の方向に逆走行して移動するように構成されており、使用する者にとって極めて変化に富んだ遊技を実現できるものである。
【課題を解決するための手段】
【００１２】  本発明者らは前記せる課題を解決するために鋭意研究を重ね、本発明を完成させたものであり、走行体２に回転自在に軸支されたフライホイール３を逆回転付勢させ、発進台１より前進方向へ高加速度で急発進された走行体２が、前進付勢力限界時点において、フライホイール３の逆転付勢力でフライホイール３がバックスピンし、走行体２が発進台１方向へ逆走行するように構成し、シャフト３１とピニオン３２がフライホイール３に一体的に固定されており、該ピニオン３２に当接されたラックベルト４１又はラックベルト４２を一気に引き出すことにより、走行体２に回転自在に軸支されたフライホイール３を回転付勢させるようにされており、ラックベルト４１又はラックベルト４２の差し位置により回転方向を前進、または後退方向に変更することを可能に構成し、スプリング５２に抗してプッシュレバー５とプッシュ部材５１の操作により、走行体２が走行体収納部６より押し出されて急発進されるように構成し、走行体２のバンパー２１にマグネット２２が収納されており、ターゲット８内に収納された磁性体８１を吸着したのち、発進台１方向へ逆走行するように構成し、且つ、フライホイール３を前進または後退方向に回転付勢させる手段は、ピニオン・ラックベルト方式のみならず、ギヤ列を駆動する回転ハンドル、モータードライブ等の手段を適用できることを特徴とするバックスピントイを提供する。
【発明の効果】
【００１３】  本発明のバックスピントイは、以上に説明したような構成であるので発進台より、ひとたび高加速度で発進した走行体が一定距離を通過後に急激にバックスピンして元の発進台の方向に逆走行するように構成されており、スピード感のみならず思いもよらない動きをするので、走行体２をターゲット８に当てたり、バックスピンしてきた走行体２を元の発進台１で受け止めたり、走行体２に収納されたマグネット２２がターゲット８に収納された磁性体８１を吸着して発進台１の方向に逆走して移送したりするので、ユーザーにとって極めて変化に富んだ遊戯を実現できる効果がある。
【図面の簡単な説明】
【００１４】
【図１】  本発明のバックスピントイの全体斜視図である。
【図２】  外側カバーの一部を除去したバックスピントイの要部斜視図である。
【図３】  フライホイール回転付勢機構の部分側面図である。
【図４】  フライホイール回転付勢機構の部分側面図である。
【図５】  走行体の斜視図である。
【図６】  走行体の分解斜視図である。
【図７】  発進操作説明図である。
【図８】  走行体の走行状態の斜視図である。
【図９】  走行体がターゲットに当たった斜視図である。
【図１０】  ターゲットを吸着した走行体の逆走状態の斜視図である。
【発明を実施するための形態】
【００１５】  以下、図面に基づいて、本発明を実施するための形態を具体的に説明する。
図１は本発明のバックスピントイの全体斜視図であり、発進台１の走行体収納部６に走行体２が載置されており、走行体２にはフライホイール３が回転自在に保持されている。
【００１６】  図２に示すように、フライホイール３の中心に固定されたシャフトと該シャフトに一体的に固定されたピニオン３２が走行体２の側面に配置されている。
【００１７】  図３はフライホイール３への回転付勢機構の部分側面図であり、矢印Ａはラックベルト４１を引き出す方向を示しており、矢印Ｂは走行体２の発進方向を示しており、矢印Ｃはフライホイール３の回転付勢方向を示している。
【００１８】  図４はフライホイール３への回転付勢機構の部分側面図であり、矢印Ａはラックベルト４１を引き出す方向をしめしており、矢印Ｂは走行体２の発進方向を示しており、矢印Ｄはフライホイール３の回転付勢方向を示している。
【００１９】  図３乃至図４にて明らかなように、シャフト３１に固定されたピニオン３２へ噛み合わされるラックベルト４１とラックベルト４２とはそれぞれピニオン３２の上下に配置されているので、ラックベルト４１を一気に引き出すことによりフライホイール３は矢印Ｃ方向へ回転付勢され、ラックベルト４２を一気に引き出すことによりフライホイール３は矢印Ｄ方向へ回転付勢される。
【００２０】  図５は走行体２の斜視図であり、バンパー２１にはマグネット２２が収納されている。マグネット２２はターゲット８に収納された鉄等の磁性体８１を吸着して走行体２がバックスピンする時にこのターゲット８を発進台１の方向へ引き戻すことができる。
【００２１】  図６は走行体２の分解斜視図であり、この分解状態のバンパー２１，フライホイール３補助輪３５を右ボディ２３と左ボディ２４と間に嵌着し、最後にロック部２５にリアロック部材３６をロックすれば走行体２が組立てられる。
【００２２】  フライホイール３は、軸受３３、３３を介して軸受部３４に回転自在に保持されており、補助凛３５も右ボディ２３と左ボディ２４間に保持されており、補助輪３５は走行体２の走行安定性に役立っている。
【００２３】  走行体２が高加速度で急発進されると、走行体２に回転自在に取付けられたフライホイール３がフライホイール３の接地点と床面との摩擦に抗して図８に示すように前進し、前進付勢力の限界時点または図９に示すようにターゲット８に当たり、バンパー２１内のマグネット２１がターゲット８内の磁性体８１を吸着し、フライホイール３の回転付勢力でフライホイール３自体がバックスピンし、図１０に示すように走行体２が発進台１の方向へターゲット８を引きよせながら逆走行する。
【００２４】  フライホイール３を回転付勢させる手段は、ピニオン・ラックベルト方式のみならず、ギヤ列を駆動する回転ハンドル、モータードライブ等の手段も適用可能であり、このような設計変更は本発明の技術範囲に属するものである。
【００２５】    以上説明したように、本発明のバックスピントイによれば、走行体に回転自在に軸支されたフライホイールを逆回転付勢させ、発進台より前進方向へ高加速度で急発進された走行体が、前進付勢力限界時点において、フライホイールの逆転付勢力でフライホイールがバックスピンし、走行体が発進台方向へ逆走行するようにできるので、変化に富んだ遊戯を実現することができる。
【産業上の利用可能性】
【００２６】  本発明のバックスピントイは以上説明したような構成であり、従来のような単に走行距離を延ばしたり加速度を上げたりする単純な動作のものばかりでなく、急発進された走行体が一定の距離を超えると元の発進台の方向へバックスピンして逆走してくるので、この動作を利用した種々の遊戯を実施することができるので、広い使用者層に興味を喚起し、広い利用範囲を創出することができる。
【符号の説明】
【００２７】  １．発進台
２．走行体
２１．バンパー
２２．マグネット
２３．右ボディ
２４．左ボディ
２５．ロック部
３．フライホイール
３１．シャフト
３２．ピニオン
３３．軸受
３４．軸受部
３５．補助輪
３６．リアロック部材
４０．ラックベルト把手
４１．ラックベルト
４２．ラックベルト
５．プッシュレバー
５１．プッシュ部材
５２．スプリング
６．走行体収納部
７．手
８．ターゲット
８１．磁性体
Ａ．ラックベルトを引き出す方向
Ｂ．走行体の発進方向
Ｃ．フライホイールの回転方向
Ｄ．フライホイールの回転方向
【図１】
0005801101.tif 000002
【図２】
0005801101.tif 000003
【図３】
0005801101.tif 000004
【図４】
0005801101.tif 000005
【図５】
0005801101.tif 000006
【図６】
0005801101.tif 000007
【図７】
0005801101.tif 000008
【図８】
0005801101.tif 000009
【図９】
0005801101.tif 000010
【図１０】
0005801101.tif 000011